【事件の表示】
　特願２０００−２７０６４０「アンテナ装置及び移動電話機」拒絶査定不服審判事件〔平成１４年　３月２２日出願公開、特開２００２−　８４１１８〕について、次のとおり審決する。
【結　論】
　本件審判の請求は、成り立たない。
【理　由】
１．手続の経緯
　本願は、平成１２年９月６日の出願であって、平成１６年９月２９日付けで拒絶査定がなされ、これに対し、同年１１月４日に拒絶査定に対する審判請求がなされるとともに、同年１２月３日に手続補正がなされたものである。
　
２．平成１６年１２月３日付けの手続補正についての補正却下の決定
［補正却下の決定の結論］
　平成１６年１２月３日付けの手続補正を却下する。
　
［理由］
（１）補正後の請求項１に係る発明
　平成１６年１２月３日付けの手続補正（以下、「本件手続補正」という。）により、特許請求の範囲は、平成１６年２月１６日付けの手続補正によって補正された明細書の特許請求の範囲の、
「【請求項１】
　電話機本体に下端部が回転自在に取り付けられたアンテナと、
　前記アンテナの先端部が使用時における人体表面から離間する方向に回動可能な状態で前記アンテナを保持する支持手段と、
　前記アンテナが前記電話機本体の長さ方向に平行した位置にあるときには前記アンテナの回動を機械的にロックし続け、前記電話機本体からの制御指令に応じて電気−機械変換部のアーマチュアが移動することにより前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材を備えることを特徴とするアンテナ装置。
　　【請求項２】
　前記アンテナロック機構は、前記アンテナに設けられた凹部に嵌合する係止部を有するフックと、
　前記ロックを保持するように前記フックに附勢力を付与する弾性部材と、
　前記制御指令に応じて前記フックを前記弾性部材の前記附勢力に抗する方向に駆動する電磁アクチュエータを備えることを特徴とする請求項１記載のアンテナ装置。
　　【請求項３】
　携帯可能な形状及びサイズを有すると共に電話接続のための各種の回路を内蔵する本体部と、基底部が前記本体部に回動可能に支持されたアンテナと、前記本体部に設けられた送話器及び受話器を備える移動電話機において、
　前記アンテナが前記電話機本体の長さ方向に平行な位置にあるときには前記アンテナの回動を機械的にロックし続け、内蔵の電気−機械変換部が通電されたときには前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材と、
　前記電話接続の発信又は着信に伴って通話が確立したことを検出する制御部と、
　前記制御部による前記通話の確立の検出に応じて前記アンテナロック機構の前記電気−機械変換部に通電するロック機構解除部を備えることを特徴とする移動電話機。
　　【請求項４】
　前記アンテナロック機構は、前記アンテナに設けられた凹部に嵌合する係止部を有するフックと、
　前記ロックを保持するように前記フックに附勢力を付与する弾性部材と、
　前記制御指令に応じて前記フックを前記弾性部材の前記附勢力に抗する方向に駆動する電磁アクチュエータを備えることを特徴とする請求項３記載の移動電話機。
　　【請求項５】
　前記本体部は、携帯電話機、又はＰＨＳであることを特徴とする請求項３記載の移動電話機。」から、
「【請求項１】
　電話機本体に下端部が回転自在に取り付けられたアンテナと、
　前記アンテナの先端部が使用時における人体表面から離間する方向に回動可能な状態で前記アンテナを保持する支持手段と、
　前記アンテナが前記電話機本体の長さ方向に平行した位置にあるときには前記アンテナの回動を機械的にロックし続け、前記電話機本体からの通話の確立の検出により発生する制御指令に応じて電気−機械変換部のアーマチュアが移動することにより前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材を備えることを特徴とするアンテナ装置。
　　【請求項２】
　前記アンテナロック機構は、前記アンテナに設けられた凹部に嵌合する係止部を有するフックと、
　前記ロックを保持するように前記フックに附勢力を付与する弾性部材と、
　前記制御指令に応じて前記フックを前記弾性部材の前記附勢力に抗する方向に駆動する電磁アクチュエータを備えることを特徴とする請求項１記載のアンテナ装置。
　　【請求項３】
　携帯可能な形状及びサイズを有すると共に電話接続のための各種の回路を内蔵する本体部と、基底部が前記本体部に回動可能に支持されたアンテナと、前記本体部に設けられた送話器及び受話器を備える移動電話機において、
　前記アンテナが前記電話機本体の長さ方向に平行な位置にあるときには前記アンテナの回動を機械的にロックし続け、内蔵の電気−機械変換部が通電されたときには前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材と、
　前記電話接続の発信又は着信に伴って通話が確立したことを検出する制御部と、
　前記制御部による前記通話の確立の検出に応じて前記アンテナロック機構の前記電気−機械変換部に通電するロック機構解除部を備えることを特徴とする移動電話機。
　　【請求項４】
　前記アンテナロック機構は、前記アンテナに設けられた凹部に嵌合する係止部を有するフックと、
　前記ロックを保持するように前記フックに附勢力を付与する弾性部材と、
　前記制御指令に応じて前記フックを前記弾性部材の前記附勢力に抗する方向に駆動する電磁アクチュエータを備えることを特徴とする請求項３記載の移動電話機。
　　【請求項５】
　前記本体部は、携帯電話機、又はＰＨＳであることを特徴とする請求項３記載の移動電話機。」
に補正された。
　上記本件手続補正は、上記補正後請求項１において、「制御指令」に「通話の確立の検出により発生する」を付加し限定するものであるから、特許法第１７条の２第４項第２号の特許請求の範囲の減縮を目的とするものに該当する。
　そこで、上記補正後請求項１に係る発明（以下、「本願補正発明」という。）が特許出願の際独立して特許を受けることができるものであるか（特許法第１７条の２第５項において準用する同法第１２６条第５項の規定に適合するか）について、以下に検討する。
　
（２）引用発明
　原審の拒絶の理由に引用された特開２０００−１１５０１１号公報（以下、「引用例」という。）には、図面とともに次の事項が記載されている。
ａ．「【０００７】
【課題を解決するための手段】上記問題を解決するため、本発明の携帯電話機は、本機を通話に使用していることを検出する検出手段と、通話に使用されていると検出されたとき、アンテナを携帯電話機本体の背面から後方へ姿勢変更させる姿勢変更手段とを有する。
【０００８】前記検出手段は、本機が使用している送受信信号のチャネル種別が通話用のチャネルであることを検出する。前記検出手段は、携帯電話機本体の側面であって、操作者が発着信操作を行う際に手指と接触する部所に設けられた電極対と、電極対間のインピーダンスを検出し、その値から操作者が通話に使用していることを検出する検出部とから構成される。
【０００９】前記検出手段は、携帯電話機本体の外表面上であって操作者が発着信操作を行う際に操作者の人体の一部が接触する部位に設けられた被動部材から構成される。前記検出手段は、押しボタンであり、前記押しボタンの操作によって本機を通話に使用していることを検出するよう構成される。」（２頁２欄、段落７〜９）
　
ｂ．「【００１１】
【発明の実施の形態】＜実施形態１＞以下に実施形態１における携帯電話機について図面を用いて説明する。本実施形態における携帯電話機は、レシーバ部分に設けられたボタンの押圧によって、アンテナがアンテナケースごと携帯電話機本体の背面１１２から後方へとアンテナの下端部分を軸に回倒するよう構成されている。
【００１２】図１は、本実施形態における携帯電話機の外観図である。同図に示すように携帯電話機１０は、図示しない送受信回路や制御回路等が内設された筐体１１と上下方向に伸縮自在のアンテナ１２が収納されたアンテナケース１３とから形成される。より詳しくは、携帯電話機１０において筐体１１は、その前面１１１にテンキーや送受話器等が配され、他方、背面１１２にその右角部に凹入部１１３が設けられ、その凹入部１１３にアンテナケース１３が収納されている。アンテナケース１３は、下端部がピン１３１によって凹入部１１３の下端寄り部所で枢支される。このピン枢支によってアンテナケース１３は、背面１１２から後方、つまり前面１１１から遠ざかる方向に揺動自在となっている。
【００１３】なお、アンテナケース１３に収納されたアンテナ１２は、ピン１３１部分を通じて筐体１１内部の送受信回路に接続してある。図２は、携帯電話機１０のアンテナケース１３の回動部分を中心とする構造を示す側面図である。同図において圧縮バネ１１４は、アンテナケース１３と凹入部１１３との間に介在されていて、弾性力によってアンテナケース１３を背面１１２から後方へ弾発付勢する。
【００１４】被動部材としてのボタン２０は、前面１１１上方のレシーバ部分１１５近傍から突出している。ボタン２０から筐体１１の内部方向へ延出されたロッド２１は、ボタン２０及びロッド２１がロッド２１の長手方向に往復可能なようにピン２１０〜２１３によって支持されていると共に、圧縮バネ２１４によってボタン２０が前面１１１から突出状態となるよう付勢されている。
【００１５】前面１１１におけるボタン２０の位置は図示のようにレシーバ１１５の近傍としてある。これは操作者が本携帯電話機１０を用いて通話する際、操作者の耳、又はその近傍の頭部によってボタン２０が押圧されるようにするためである。又、ボタン２０の前面１１１からの突出量は前記耳又は頭部との接触によって必要なストロークが得られるよう適切な値とされている。
【００１６】前記ロッド２１の先端には突起２１５が設けられ、Ｌ型クランク部材２２の一端の長孔２２１と係合されている。Ｌ型クランク部材２２は、その中央コーナー部２２２が携帯電話機１０の適所にピン枢支されており、ボタン２０の押圧によってＬ型クランク部材２２が中央コーナー部２２２を中心に回動する機構となっている。
【００１７】Ｌ型クランク部材２２の他端は、筐体１１の壁面の孔１１６を貫通して凹入部１１３の外方へ突出していると共に、突出先端には係合フック２２３が形成されている。Ｌ型クランク部材２２が貫通する筐体１１壁面の孔１１６に対応するアンテナケース１３壁面にもＬ型クランク部材２２を遊挿する孔１３２が形成されていて、アンテナケース１３が凹入部１１３に収納された通常姿勢においては、前記Ｌ型クランク部材２２の他端の係合フック２２３がアンテナケース１３内に侵入し、アンテナケース１３内に設けられた係合ピン１３３に係合している。
【００１８】この係合フック２２３と係合ピン１３３との係合によってアンテナケース１３は圧縮バネ１１４の復元力に抗して凹入部１１３に収納された状態に保持される。このように構成することによって、ボタン２０が押圧されると、その動作がロッド２１の突起２１５と長孔２２１との係合部分からＬ型クランク部材２２に伝動してＬ型クランク部材２２が回転し、その結果、係合フック２２３と係合ピン１３３との係合が解除される。この解除によりアンテナケース１３は、圧縮バネ１１４の弾性力によって凹入部１１３から背面１１２の後方へ回倒して通常姿勢から図３に示すような姿勢に姿勢変更する。
【００１９】以上により本実施形態の携帯電話機１０は、操作者が発着信の際に通話を行うためにレシーバ部分１１５に耳を当てると、近傍のボタン２０が操作者の耳又は頭部によって押圧されることとなり、結果としてアンテナケース１３は図３のように回倒する。このためアンテナケース１３に収納されたアンテナ１２は、操作者頭部の影響による放射特性の変化を避けることができるので電磁界レベルが操作者頭部によって下がることがなく、通信品質の低下を防止することができる。
【００２０】なお、操作者の通話終了後は、操作者がアンテナケース１３を背面側から押すと、係合フック２２３と係合ピン１３２が再び係合されて凹入部１１３に収納された通常姿勢となり、本携帯電話機１０は操作者の胸ポケットや鞄等の収納場所に収納しやすい形体となる。
＜実施形態２＞以下に実施形態２における携帯電話機について図面を用いて説明する。」（２頁２欄〜３頁４欄、段落１１〜２０）
　
　上記摘記事項ａ．〜ｂ．並びに関連する図面及びこの分野における技術常識を考慮すると、引用例には、次の発明が記載されているものと認められる。（以下、「引用発明」という。）
「携帯電話機の筐体に下端部が回転自在に取り付けられたアンテナと、
　前記アンテナの先端部が使用時における人体表面から離間する方向に回動可能な状態で前記アンテナを保持する支持手段と、
　前記アンテナが前記携帯電話機の筐体の長さ方向に平行した位置にあるときには前記アンテナの回動を機械的にロックし続け、通話に使用していると検出されたときＬ型クランク部材が移動することにより前記ロックを解除するアンテナロック機構と、
　前記アンテナロック機構がロック解除状態にあるとき、前記アンテナの先端部が使用時における人体表面から離間する方向に前記アンテナを回動させる力を常時発生させる圧縮バネを備えるアンテナ装置。」
　
（３）対比
　引用発明の「圧縮バネ」は「附勢部材」の一種である。
　引用発明の「携帯電話機の筐体」は本願補正発明の「電話機本体」に相当し、引用発明の「通話に使用していると検出されたときＬ型クランク部材が移動する」ことと本願補正発明の「前記電話機本体からの通話の確立の検出により発生する制御指令に応じて電気−機械変換部のアーマチュアが移動する」こととはともに「移動部材が移動する」点で一致するから、両者は、
「電話機本体に下端部が回転自在に取り付けられたアンテナと、
　前記アンテナの先端部が使用時における人体表面から離間する方向に回動可能な状態で前記アンテナを保持する支持手段と、
　前記アンテナが前記電話機本体の長さ方向に平行した位置にあるときには前記アンテナの回動を機械的にロックし続け、移動部材が移動することにより前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材を備えるアンテナ装置。」
である点で一致し、次の点で相違する。
　
＜相違点＞
　上記「移動部材が移動する」ことに関して、本願補正発明は「前記電話機本体からの通話の確立の検出により発生する制御指令に応じて電気−機械変換部のアーマチュアが移動する」のに対し、引用発明は「通話に使用していると検出されたときＬ型クランク部材が移動する」点。
　
（４）判断
　上記相違点について検討する。
　アンテナを回動させるタイミングとして、引用例の段落３３には「通話の開始を検出」したときとして「携帯電話機と携帯電話機が所属するエリアの基地局との間で通信のリンクチャネルが確立したことを検出した場合等」が、同段落４０には「ＣＰＵが送受信信号中に含まれるチャネル識別信号が通信チャネルであることを検出」した場合が記載されており、通話の確立の検出によりアンテナを回動させることが示唆されているといえる。また、制御指令に応じて移動する電気−機械変換部がロックを解除する機構は、原審の拒絶の理由に引用された特開平１０−２０９９０６号公報の図４とそれに関連する記載があるように周知技術であるから、引用例の段落４１の記載を考慮すると、引用発明の「通話に使用していると検出されたときＬ型クランク部材が移動する」ことを、「前記電話機本体からの通話の確立の検出により発生する制御指令に応じて電気−機械変換部のアーマチュアが移動する」ことにすることは、当業者が容易になし得ることである。
　
　また、本願補正発明の構成によってもたらされる効果も、引用発明及び周知技術から当業者ならば容易に予測することができる程度のものであって、格別のものとはいえない。
　
　したがって、本願補正発明は、引用発明及び周知技術に基づいて、当業者が容易に発明をすることができたものであるから、特許法第２９条第２項の規定により、特許出願の際独立して特許を受けることができないものである。
　
（５）むすび
　よって、本件手続補正は、特許法第１７条の２第５項で準用する同法第１２６条第５項の規定に違反するものであり、特許法第１５９条第１項で準用する同法第５３条第１項の規定により却下されるべきものである。
　
３．補正却下の決定を踏まえた検討
（１）本願発明
　平成１６年１２月３日付けの手続補正は、上記のとおり却下されたので、本願の請求項１に係る発明は、平成１６年２月１６日付け手続補正書の特許請求の範囲の請求項１に記載されたとおりの次のものと認める。（以下、「本願発明」という。）
「電話機本体に下端部が回転自在に取り付けられたアンテナと、
　前記アンテナの先端部が使用時における人体表面から離間する方向に回動可能な状態で前記アンテナを保持する支持手段と、
　前記アンテナが前記電話機本体の長さ方向に平行した位置にあるときには前記アンテナの回動を機械的にロックし続け、前記電話機本体からの制御指令に応じて電気−機械変換部のアーマチュアが移動することにより前記ロックを解除するアンテナロック機構と、
　前記アンテナロック機構がロック解除状態にあるとき、前記アンテナの先端部が使用時における人体表面から離間する方向に前記アンテナを回動させる力を常時発生させる附勢部材を備えることを特徴とするアンテナ装置。」　
　
（２）引用発明
　これに対して、原審の拒絶の理由に引用された引用例の記載事項は、上記２．（２）に記載したとおりである。
　
（３）対比・判断
　本願発明は、上記２．で検討した本願補正発明における「通話の確立の検出により発生する制御指令」から「通話の確立の検出により発生する」を削除することにより、限定を省いたものである。
　そうすると、本願発明に限定を施したものに相当する本願補正発明が、上記２．（４）に記載したとおり、引用発明及び周知技術に基づいて当業者が容易に発明をすることができたものである以上、本願発明も、同様に、引用発明及び周知技術に基づいて、当業者が容易に発明をすることができたものである。
　
（４）むすび
　以上のとおり、本願発明は、引用発明及び周知技術に基づいて、当業者が容易に発明をすることができたものであるから、特許法第２９条第２項の規定により特許を受けることができない。
　よって、結論のとおり審決する。